(57)【特許請求の範囲】
【請求項１】
複数の測距ポイントを有するＡＦシステムとＴＴＬ方式のファインダを有するカメラにおいて、
前記複数の測距ポイントに対応する複数の測距ターゲットを有するフォーカシングスクリーンと、
前記フォーカシングスクリーンの後方に配置された鏡面を有するペンタプリズムまたはコンデンサレンズと、
前記フォーカシングスクリーンの側面に配置された光源とからなり、
前記光源は前記ペンタプリズムまたはコンデンサレンズの下面の鏡面に対し、光線が所定の角度で入射するように配置し、前記鏡面で反射した光が前記フォーカシングスクリーン上の前記測距ターゲットを照射するように構成し、
前記複数の測距ポイントから選択された測距ポイントに対応する前記測距ターゲットをファインダの視野画面内に重ねて表示することを特徴とするファインダ表示装置。
【請求項２】
前記所定の角度は、１５°〜３０°に設定されることを特徴とする請求項１記載のファインダ表示装置。
【請求項３】
前記フォーカシングスクリーン上の前記測距ターゲットには前記光源からの光線をアイポイント方向に偏光させる反射面を有し、前記反射面には反射率を高める蒸着層を有することを特徴とする請求項１または２記載のファインダ表示装置。
【請求項４】
前記反射面はプリズムアレイで形成され、当該プリズムアレイのピッチｘは以下の条件を満たすことを特徴とする請求項３記載のファンダ表示装置。
０．０１５ｍｍ＜ｘ＜０．０２５ｍｍ
【発明の詳細な説明】
【０００１】
【発明の属する技術分野】
本発明は、複数の測距ポイントを有するＡＦシステムとＴＴＬ方式のファインダを有するカメラのファインダ表示装置に関する。
【０００２】
【従来の技術】
一眼レフカメラなどでは、撮影レンズで結像されるピント面と等価な位置にフォーカシングスクリーンを配置し、その部分に測距ターゲットなどの表示体を設けファインダで被写体像と測距ターゲットなどを同時に観察できるファインダ装置が実用に供されている。
上記装置において、複数の測距ポイントを表示する場合、微細なプリズムアレイを透明アクリル板上に形成し、これをフォーカシングスクリーン近傍に配置する方式が提案されている。
これは、透明アクリル板上に形成されたプリズムアレイ部に、光源からの光を投光し、その全反射光をアイポイントへ導く方式である。
【０００３】
ところで、上記従来のファインダ表示装置では、フォーカシングスクリーンとは別に設けられている透明アクリル部材にごみが付着しやすく，傷が付き易い。そのため、一旦ごみが付着したり、傷が発生すると、ファインダ内に大きく表示されてしまうという欠点がある。例えば、ファインダの倍率は通常５〜６倍であるため、０．１ｍｍのゴミがつけば、０．６ｍｍに拡大され、傷，ゴミが目立つこととなる。
そのため、製造工程においては透明アクリル板にゴミなどが付着しないように管理する必要がある。しかしながら、０．１ｍｍ程度のゴミが付着しないように管理することは容易なことではなく、そのため、生産工程での歩留まりが低下するという問題がある。
【０００４】
図５は、従来のファインダ表示装置の一例を示す図である（特開平８−６２７０３）。
この例によれば、ペンタダハプリズム３８の上部にＳＩ照明レンズ３２およびＳＩ−ＬＥＤ３１を配置し、ＳＩ照明レンズ３２の端面に対面するペンタダハプリズム３８の上面に窓を設けてＳＩ−ＬＥＤ３１から光を取り入れている。
ピント等価部分には下面にフレネルレンズ３５ａを、上面に焦点結像面３５ｂを有するフォーカシングスクリーン３５と表示板３６が配置され、表示板に刻まれている測距範囲を照明し、接眼レンズ群３９により観察できるようになっている。
【０００５】
この例は、照明機構をペンタダハプリズムの上部に配置しているため、ペンタダハプリズム上面に窓を設ける必要があり、ペンタダハプリズムのコストアップ要因になるという欠点がある。
【０００６】
【発明が解決しようとする課題】
本発明は、複数の測距ポイントから選択された測距ポイントをファインダの視野画面内に重ねて表示できるＴＴＬ方式のファインダを有するカメラにおいて、上記諸問題を解決するもので、その目的は、ファインダ内にゴミや傷などが発生しにくく、しかもペンタプリズムなどに追加加工を施すことのない、安価で信頼性の高いファインダ表示装置を提供することにある。
【０００７】
【課題を解決するための手段】
前記目的を達成するために本発明によるファインダ表示装置は、複数の測距ポイントを有するＡＦシステムとＴＴＬ方式のファインダを有するカメラにおいて、前記複数の測距ポイントに対応する複数の測距ターゲットを有するフォーカシングスクリーンと、前記フォーカシングスクリーンの後方に配置された鏡面を有するペンタプリズムまたはコンデンサレンズと、前記フォーカシングスクリーンの側面に配置された光源とからなり、前記光源は前記ペンタプリズムまたはコンデンサレンズの下面の鏡面に対し、光線が所定の角度で入射するように配置し、前記鏡面で反射した光が前記フォーカシングスクリーン上の前記測距ターゲットを照射するように構成し、前記複数の測距ポイントから選択された測距ポイントに対応する前記測距ターゲットをファインダの視野画面内に重ねて表示するように構成されている。
本発明において前記所定の角度は、１５°〜３０°に設定される。
本発明は、上記構成において前記フォーカシングスクリーン上の前記測距ターゲットには前記光源からの光線をアイポイント方向に偏光させる反射面を有し、前記反射面には反射率を高める蒸着層を有している。
本発明は、上記構成において前記反射面はプリズムアレイで形成され、当該プリズムアレイのピッチｘは以下の条件を満たしている。
０．０１５ｍｍ＜ｘ＜０．０２５ｍｍ
【０００８】
【発明の実施の形態】
以下、図面を参照して本発明をさらに詳しく説明する。
図１は、本発明によるファインダ表示装置の実施の形態を示す図である。（ａ）は、光学部材がペンタプリズムであり，（ｂ）は光学部材がコンデンサレンズの例である。
（ａ）において、ペンタプリズム１の下面１ａは鏡面を有している。ペンタプリズム１の下方のピント面にはフォーカシングスクリーン３が配置されている。
フォーカシングスクリーン３の側面にはＬＥＤ４が測距点の数だけ配置されている。
【０００９】
ＬＥＤ４は、その光軸が下面１ａに対し角度θ1 になるように固定されている。下面１ａへの光線の入射角θ1 は次の条件を満たしている。
１５°＜θ1 ＜３０°・・・（１）
ＬＥＤ４から出射した光は、下面１ａの鏡面で反射され、フォーカシングスクリーン３のマット面３ａに達する。マット面の測距ターゲットの反射光は、ペンタプリズム１で光線の方向が変えられるとともに被写体像の向きが反転させられ、アイピース２に入射し、撮影者は被写体像と測距ターゲットを同時に観察することができる。
【００１０】
（ｂ）において、ペンタプリズム１とフォーカシングスクリーン３の間にコンデンサレンズ５が挿入されている。コンデンサレンズ５の下面５ａは鏡面仕上げが施されている。
ＬＥＤ４は、フォーカシングスクリーン３の側面に配置され、その光軸はコンデンサレンズ５の下面５ａに入射する位置の接線に対し、上記（１）式と同様、θ1 になるような角度となっている。
ＬＥＤ４から出射した光は、コンデンサレンズ５の下面５ａの鏡面で反射され、フォーカシングスクリーン３のマット面に達する。マット面の測距ターゲットの反射光は、コンデンサレンズ５で集光された後、ペンタプリズム１で光線の方向および被写体像の向きが変えられ、アイピース２に入射する。
【００１１】
図２は、フォーカシングスクリーンのターゲットの反射率と角度の関係を示す図である。ペンタプリズム１またはコンデンサレンズ５の下面１ａ又は５ａの反射率は３０パーセント程度確保できれば良く、そのためには入射面に対し、光源の光軸の角度が１５°〜３０°の角度を確保する必要がある。
【００１２】
図３は、照明ポイントと光源の位置関係を示す図である。
測距システムは、中央部と各角に配置された５点測距であり、各測距点に対しそれぞれＬＥＤが設けられている。中央の測距ターゲット１０ａに対しＬＥＤ８が対応する。左上部の測距ターゲット１０ｂに対しＬＥＤ１１が、右上部の測距ターゲット１０ｃに対しＬＥＤ９が、右下部の測距ターゲット１０ｄに対しＬＥＤ７が、左下部の測距ターゲット１０ｅに対しＬＥＤ１０がそれぞれ対応する。
各ＬＥＤはその光軸の延長上に不要な測距ポイントが存在しないような配置関係にしてある。このように配置することにより選択した測距ターゲットのみが明瞭にファインダで確認することができる。
【００１３】
図４は、フォーカシングスクリーン形状の例を示す図である。
（ａ）は、フォーカシングスクリーン１２の中央にカッコ形状の測距ターゲット６が形成された例である。測距ターゲット６は、光源からの光線をアイポイント方向へ偏光させるため一定の角度を持った反射面６ａを有している。この反射面は反射率を高めるため蒸着が施されている。
（ｂ）は、フォーカシングスクリーン１３の中央に測距ターゲット７がピッチｘのプリズムアレイで形成された例である。このプリズムアレイが光源からの光線をアイポイント方向へ偏光させるための反射面となっている。反射率を高めるため蒸着が施されている。ここで、ピッチは以下に示す条件を満たしている。
０．０１５ｍｍ＜ｘ＜０．０２５ｍｍ・・・（２）
【００１４】
【発明の効果】
以上、説明したように本発明は、複数の測距ポイントを有するＡＦシステムとＴＴＬ方式のファインダを有するカメラにおいて、複数の測距ポイントに対応する複数の測距ターゲットを有するフォーカシングスクリーンと、フォーカシングスクリーンの後方に配置された鏡面を有するペンタプリズムまたはコンデンサレンズと、フォーカシングスクリーンの側面に配置された光源とからなり、光源はペンタプリズムまたはコンデンサレンズの下面の鏡面に対し、光線が所定の角度で入射するように配置し、鏡面で反射した光がフォーカシングスクリーン上の測距ターゲットを照射するように構成し、複数の測距ポイントから選択された測距ポイントに対応する測距ターゲットをファインダの視野画面内に重ねて表示するものである。
したがって、ゴミの付着，傷の発生を低減でき、生産工程において歩留りの良好な信頼性の高いファインダ表示装置を実現できる。また、ペンタプリズム等に追加加工を施す必要がない。
【図面の簡単な説明】
【図１】本発明によるファインダ表示装置の実施の形態を示す図である。
【図２】フォーカシングスクリーンのターゲットの反射率と角度の関係を示す図である。
【図３】照明ポイントと光源の位置関係を示す図である。
【図４】フォーカシングスクリーン形状の例を示す図である。
【図５】従来のファインダ表示装置の一例を示す図である。
【符号の説明】
１  ペンタプリズム
２  アイピース
３，１２，１３  フォーカシングスクリーン
４，７，８，９，１０，１１  ＬＥＤ
５  コンデンサレンズ
６，１０ａ，１０ｂ，１０ｃ，１０ｄ，１０ｅ  ターゲット
７  プリズムアレイ（測距ターゲット）
【図１】
0004418607.tif 000002
【図２】
0004418607.tif 000003
【図３】
0004418607.tif 000004
【図４】
0004418607.tif 000005
【図５】
0004418607.tif 000006